(57)【要約】【課題】  簡単な構成であり、汎用性の高い防水ハウジングを提供する。【解決手段】  カメラ１０を収納する第１収納部４と、前記カメラの操作を行うための操作部材を備える操作部２０と、前記操作部を用いた操作に基づく制御信号を前記カメラに送信する無線通信部１８と、前記操作部を備え、前記無線通信部を収納する第２収納部６と、前記第１収納部および前記第２収納部を水密構造とする水密部材とを備える。【選択図】  図１
2014215384.tif 000002
【特許請求の範囲】
【請求項１】
カメラを収納する第１収納部と、
前記カメラの操作を行うための操作部材を備える操作部と、
前記操作部を用いた操作に基づく制御信号を前記カメラに送信する無線通信部と、
前記操作部を備え、前記無線通信部を収納する第２収納部と、
前記第１収納部および前記第２収納部を水密構造とする水密部材と
を備えることを特徴とする防水ハウジング。
【請求項２】
前記第１収納部と前記第２収納部とは、それぞれ独立した前記水密部材により独立した水密構造を有することを特徴とする請求項１記載の防水ハウジング。
【請求項３】
前記カメラの機種と、前記機種に対応した設定情報を記憶する記憶部を備え、
前記無線通信部は、前記第１収納部に収納された前記カメラの前記機種の情報を受信し、前記記憶部から前記機種に対応した前記設定情報を読み出し、前記設定情報に基づく制御信号を前記カメラに送信することを特徴とする請求項１または２記載の防水ハウジング。
【請求項４】
前記無線通信部は、近距離無線通信により前記カメラと通信することを特徴とする請求項１〜３の何れか一項に記載の防水ハウジング。
【請求項５】
前記無線通信部による前記第１収納部の内部以外との通信を遮断する遮断部材および前記無線通信部により前記第１収納部方向に指向性を持たせた通信を行わせる指向部材の少なくとも一方を備えることを特徴とする請求項１〜４の何れか一項に記載の防水ハウジング。
【請求項６】
周囲の環境に関する情報を取得する環境情報取得部を備え、
前記無線通信部は、前記環境情報取得部により取得された前記周囲の環境に応じた制御信号を前記カメラに送信することを特徴とする請求項１〜５の何れか一項に記載の防水ハウジング。
【請求項７】
前記環境情報取得部は、前記防水ハウジングが水中にあるか否かを検出する水中検出センサを含み、
前記水中検出センサにより水中にあることを検出すると、前記無線通信部は、水中での撮影に対応した水中撮影条件に設定するための制御信号を前記カメラに送信することを特徴とする請求項６記載の防水ハウジング。
【請求項８】
前記無線通信部は、前記環境情報取得部により取得された前記周囲の環境に関する情報を、前記カメラにより撮影された画像データに付加させる制御信号を前記カメラに送信することを特徴とする請求項６記載の防水ハウジング。
【請求項９】
被写体に対して発光を行う発光部と、
前記無線通信部を介して受信した撮影条件に基づいて撮影時の前記発光部による発光または非発光の制御及び発光を行う場合に発光する光の色及び／または輝度を制御する発光制御部と
を備えることを特徴とする請求項１〜８の何れか一項に記載の防水ハウジング。
【請求項１０】
動作用のバッテリーを備え、
前記無線通信部を介して前記カメラから前記バッテリーに充電を行うことを特徴とする請求項１〜９の何れか一項に記載の防水ハウジング。
【発明の詳細な説明】
【技術分野】
【０００１】
本発明は、防水ハウジングに関するものである。
【背景技術】
【０００２】
水中で撮影を行う際にカメラを収納する防水ハウジングが知られている（例えば、特許文献１及び２参照）。特許文献１においては防水ハウジングの操作部材とカメラとを、防水ハウジングの内部でケーブルにより接続し、防水ハウジングを介した操作をカメラに伝達している。また、特許文献２においては、水中ハウジングにカメラが収納されたことが水中ハウジングからカメラに伝達されると、カメラを専用モードに切り替えることが記載されている。
【先行技術文献】
【特許文献】
【０００３】
【特許文献１】特開２００６−１６２７８９号公報
【特許文献２】特開平１０−３３３２３３号公報
【発明の概要】
【発明が解決しようとする課題】
【０００４】
しかし、特許文献１においては、ケーブルの配置によってはカメラと防水ハウジングとを接続できない場合があり、さらに防水ハウジング内のケーブルの引き出し部も水密構造とする必要があるため、構造が煩雑となっていた。特許文献２においては専用のモードを有さないカメラにて対してはモードの切り替えを行うことができなかった。
本発明の目的は、簡単な構成であり、汎用性の高い防水ハウジングを提供することである。
【課題を解決するための手段】
【０００５】
本発明に係る防水ハウジングは、カメラを収納する第１収納部と、前記カメラの操作を行うための操作部材を備える操作部と、前記操作部を用いた操作に基づく制御信号を前記カメラに送信する無線通信部と、前記操作部を備え、前記無線通信部を収納する第２収納部と、前記第１収納部および前記第２収納部を水密構造とする水密部材とを備えることを特徴とする。
【発明の効果】
【０００６】
本発明によれば、簡単な構成であり、汎用性の高い防水ハウジングを提供することができる。
【図面の簡単な説明】
【０００７】
【図１】実施の形態に係る防水ハウジングの概略を示す図である。
【発明を実施するための形態】
【０００８】
以下、図面を参照して本発明の実施の形態に係る防水ハウジングについて説明する。図１は実施の形態に係る防水ハウジングの概略を示す図である。図１に示すように防水ハウジング２は、第１収納部４および第２収納部６を備えている。
【０００９】
第１収納部４は開閉可能な構造を有するカバー８を備え、カメラ１０を収納することができる。ここで、第１収納部４にカメラ１０を収納した場合には、カメラ１０は第１収納部４内で固定される。また、第１収納部４には、後述する第２収納部６の無線通信ユニット４２以外との無線通信を阻止するための電磁シールド１２（網掛けで示した部分）が設けられている。また、カバー８にはカバー開閉検知マグネット１４が設けられている。また、第１収納部４は後述する第２収納部６とは独立した水密構造を有している。なお、図１においてはカメラ１０が第１収納部４に収納された状態を示している。
【００１０】
また、第２収納部６には、ＣＰＵ１６及びカメラ１０との通信を行う無線通信ユニット１８が収納されている。また、ＣＰＵ１６には、無線通信ユニット１８、カメラ１０の操作を行うための操作部材を備える操作部２０、被写体に対するフラッシュ光の発光および合焦の際に被写体が低輝度である場合等の補助光の発光の少なくとも一方を行う照明装置２２、水圧を測定する水圧センサ２４、防水ハウジング２が水中にあるか否かを検知する水中検知センサ２６、ＣＰＵ１６に電源を供給するバッテリー２８、カメラ１０の機種の情報（その機種に水中撮影モードの設定があるか否かの情報を含む）及び機種に対応した水中撮影モードの設定情報等を記憶するメモリ３０、カバー開閉検知マグネット１４の接近を検知することによりカバー８の開閉状態を検知するカバー開閉検知センサ３２が接続されている。ここで、無線通信ユニット１８の第２収納部６側の周囲には、第１収納部４に収納されたカメラ１０以外との無線通信を阻止するための電磁シールド３４（網掛けで示した部分）が設けられている。また、第２収納部６は第１収納部４とは独立した水密構造を有し、操作部材２０、照明装置２２、水圧センサ２４、水中検知センサ２６が設けられた部分にも水密性を保つための加工がそれぞれ施されている。
【００１１】
また、第１収納部４に収納されたカメラ１０は、撮影レンズ３６、合焦の際に被写体が低輝度である場合等に発光を行うＬＥＤ等により構成されるＡＦ補助光源３８、被写体に対してフラッシュ光を発光するフラッシュ光源４０、第２収納部６に収納された無線通信ユニット１８を介してＣＰＵ１６と通信を行う無線通信ユニット４２を備えている。
【００１２】
次に、実施の形態に係る防水ハウジングの制御について説明する。カメラ１０が第１収納部４に収納され、カバー開閉検知センサ３２によりカバー８が閉じられたことを検知すると、ＣＰＵ１６は無線通信ユニット１８を介してカメラ１０との通信を確立する。ここで、カメラ１０との通信は例えばＮＦＣ（近距離無線通信）により行う。カメラ１０との通信が確立されると、ＣＰＵ１６は無線通信ユニット１８を介してカメラ１０の機種の情報を取得する。また、カメラ１０との通信が確立されると、防水ハウジング２の操作部２０を用いた操作が可能となる。即ち、操作部２０を構成する操作部材を用いた操作が行われた場合に、ＣＰＵ１６は操作に基づく制御信号を無線通信ユニット１８を介してカメラ１０に送信する。なお、操作部２０を構成する各操作部材には撮影ボタン、ズームボタン等の機能が割り当てられている。
【００１３】
次に、水中検知センサ２６により防水ハウジング２が水中にあるか否かを検知する。ここで、水中検知センサ２６は、例えば、防水ハウジング２の外観に露出させた金属部品間の導通を検知することにより、防水ハウジング２が水中にあるか否かを検知する。防水ハウジング２が水中にある場合には、ＣＰＵ１６はカメラ１０の機種の情報に基づいてメモリ３０から該当する機種の水中撮影モードについての情報を読み出す。
【００１４】
即ち、該当する機種に水中撮影モードの設定があるか否かを読み出し、水中撮影モードの設定のない機種の場合には、ＣＰＵ１６はメモリ３０から水中撮影に関する情報を読み出す。水中撮影に関する情報としては、それぞれの機種に応じたホワイトバランスの設定情報、照明装置２２による発光／非発光の設定情報、画像処理の設定情報等を読み出してもよいし、水中撮影を行う場合の一般的なホワイトバランスの設定情報、画像処理の設定情報等を読み出してもよい。また、メモリ３０に記憶されていない機種の場合には、水中撮影を行う場合の一般的なホワイトバランスの設定情報、画像処理の設定情報等を読み出す。
【００１５】
該当する機種に水中撮影モードの設定がある場合には、ＣＰＵ１６は無線通信ユニット１８を介してカメラ１０に水中撮影モードに切り替えるための制御信号を送信する。また、水中撮影モードの設定がない機種である場合や、メモリ３０に記憶されていない機種である場合には、ＣＰＵ１６は無線通信ユニット１８を介してカメラ１０に水中撮影に関する情報を送信する。なお、水中検知センサ２６により防水ハウジング２が水中にないと検知された場合には、カメラ１０は陸上の撮影モードにより撮影を行う。
【００１６】
このとき、カメラ１０が水中撮影モードの設定がある機種の場合には、無線通信ユニット４２を介して水中撮影モードに切り替えるための制御信号を受信すると、カメラ１０は撮影モードを水中撮影モードに切り替える。また、カメラ１０が水中撮影モードの設定がない機種である場合や、メモリ３０に記憶されていない機種である場合には、無線通信ユニット４２を介して水中撮影に関する情報を受信すると、受信した水中撮影に関する情報に基づいて水中撮影用の撮影条件を設定する。そして、操作部２０を介して撮影指示が行われた場合には、設定された水中撮影モードまたは設定された撮影条件に基づいて撮影を行う。例えば、カメラ１０のフラッシュ光源４０による発光を行わずに照明装置２２による発光を行い、水中撮影用に設定されたホワイトバランスを用いて撮影を行う。ここで、水中撮影においては、照明装置２２は水中における反射を考慮した色及び輝度等により被写体に対してフラッシュ光の発光を行う。
【００１７】
また、操作部２０を介して合焦指示が行われた場合には、例えば、ＡＦ補助光源３８による発光を行わずに照明装置２２によるＡＦ補助光の発光を行う。ここで、水中撮影においては、照明装置２２は水中における反射を考慮した色及び輝度等により被写体に対してＡＦ補助光の発光を行う。
【００１８】
また、撮影が行われた場合には、カメラ１０に装着されたメモリカード（図示せず）等に画像データを記録する。このとき、カメラ１０は、画像データのＥｘｉｆ形式等のファイルのタグデータ内にメタデータとして、撮影時の水深、潜水時間等を記録させてもよい。ここで、撮影時の水深、潜水時間は、水圧センサ２４により測定した水圧に基づく水深、潜水時間（即ち、防水ハウジング２が水中にあることを水中検知センサ２６が検知してからの経過時間）等を用いる。即ち、ＣＰＵ１６は、無線通信ユニット１８を介してカメラ１０に撮影時の水深、潜水時間等を送信する。
【００１９】
本実施の形態に係る防水ハウジングは、簡単な構成であり、また、高い汎用性を有する。また、カメラとの通信を無線により行うため、カメラの無線通信ユニットが配置された位置に関係なく通信を行うことができる。
【００２０】
また、第１収納部と第２収納部とが独立した水密構造を有するため、操作部材や防水ハウジングに設けられたセンサ等が破損した場合でも、第１収納部に収納されたカメラへの浸水を防ぐことができる。また、カメラを収納する第１収納部には操作部材が設けられていないため、高い水圧に対しても耐久性を有する。
【００２１】
なお、上述の実施の形態において、カバー開閉検知センサ３２によりカバー８が閉じられたことを検知した際に、ＣＰＵ１６は無線通信ユニット１８を介してカメラ１０との通信が確立できない場合にはＣＰＵ１６はバッテリー２８による給電を停止させてもよい。
【００２２】
さらに、防水ハウジング２は、第１収納部４にカメラ１０が収納されているか否かを検知するための赤外線センサと、防水ハウジング２の外観から目視可能な位置に報知ランプとを備えていてもよい。この場合には、カバー開閉検知センサ３２によりカバー８が閉じられたことを検知した際に、ＣＰＵ１６は無線通信ユニット１８を介してカメラ１０との通信が確立できない場合、第１収納部４にカメラ１０が収納されているか否かに応じて次のような処理を行う。即ち、赤外線センサにより第１収納部４にカメラ１０が収納されていることを検知した場合には、カメラ１０の撮影者に警告を行うためにＣＰＵ１６は報知ランプを点滅させる。また、赤外線センサによりカメラ１０が第１収納部４にカメラに収納されていないことを検知した場合には、省電力のためにＣＰＵ１６はバッテリー２８による給電を停止させる。
【００２３】
また、上述の実施の形態において、防水ハウジング２の無線通信ユニット１８とカメラ１０の無線通信ユニットとの間の通信をＮＦＣにより確立する構成としたが、Ｂｌｕｅｔｏｏｔｈ（登録商標），Ｗｉ−Ｆｉ、赤外線通信等により無線通信を確立する構成としてもよい。
【００２４】
また、２種類以上の通信方式、例えば、ＮＦＣとＷｉ−Ｆｉを併用してもよい。この場合には、カバー開閉検知センサ３２によりカバー８が閉じられたことを検知すると、ＣＰＵ１６はまず無線通信ユニット１８を介してカメラ１０との通信をより高いセキュリティを確保することができるＮＦＣにより確立し、その後より高速で通信することができるＷｉ−Ｆｉによる通信を確立する。
【００２５】
また、上述の実施の形態においては、第１収納部４に電磁シールド１２を設ける構成としたが、電磁シールド１２を省略する構成としてもよい。また、上述の実施の形態において、第２収納部６の無線通信ユニット１８に電磁シールド３４を設ける構成としたが、電磁シールド３４に代えて、または加えて、指向性を持たせるための部材を用いて無線通信ユニット１８により通信可能な方向に指向性を持たせる構成としてもよい。即ち、無線通信ユニット１８により通信可能な方向を、第１収納部４に収納されたカメラ１０の方向とする構成としてもよい。
【００２６】
また、上述の実施の形態においては、カバー開閉検知センサ３２によりカバー８が閉じられたことを検知した後、即ち、第１収納部４にカメラ１０が収納された後にＣＰＵ１６は無線通信ユニット１８を介してカメラ１０との通信を確立する構成としたが、第２収納部６の無線通信ユニット１８に設けられた電磁シールド３４を省略し、第１収納部４にカメラ１０が収納される前にＣＰＵ１６は無線通信ユニット１８を介してカメラ１０との通信を確立する構成としてもよい。
【００２７】
また、上述の実施の形態においては、ＣＰＵ１６は無線通信ユニット１８を介してカメラ１０に、水中撮影モードに切り替えるための制御信号または水中撮影に関する情報を送信する構成としたが、ＣＰＵ１６はカメラ１０を水中撮影モードに切り替えるためのアプリケーションまたはファームウェアをカメラ１０にインストールさせる構成としてもよい。この場合には、予めメモリ３０にアプリケーションまたはファームウェアを記憶させておき、ＣＰＵ１６は無線通信ユニット１８を介してカメラ１０との通信を確立すると、カメラ１０に上述のアプリケーションやファームウェアをインストールさせる。その後、水中検出センサ２６により防水ハウジング２が水中にあることを検知すると、ＣＰＵ１６は無線通信ユニット１８を介してカメラ１０を水中撮影モードに切り替えるための制御信号を送信する。
【００２８】
また、上述の実施の形態において、バッテリー２８を充電可能な構成としてもよい。この場合には、専用の外部部材またはカメラ１０の無線通信ユニット４２を用いて無線通信ユニット１８を介したＮＦＣ等の無線通信により充電を行うなど、非接触充電を行う構成としてもよい。また、非接触充電に代えて、または加えて、太陽光等の光によりバッテリー２８の充電を行う構成としてもよい。
【符号の説明】
【００２９】
２…防水ハウジング、４…第１収納部、６…第２収納部、１０…カメラ、１６…ＣＰＵ、１８…無線通信ユニット、２０…操作部
【図１】
2014215384.tif 000003